(57)【要約】【課題】見出し語に対応する文字情報と画像情報を重ね合わせて同時に表示すること。【解決手段】見出し語に対応する文字情報と画像情報とを格納する格納部と、入力部と、表示部と、入力部から見出し語が入力された時、見出し語に対応する文字情報と画像情報を格納部から読み出して文字情報に画像情報を重ねて表示部に表示する制御部からなる。【選択図】  図１
2004151996.tif 000002
【特許請求の範囲】
【請求項１】
見出し語に対応する文字情報と画像情報とを格納する格納部と、入力部と、表示部と、入力部から見出し語が入力された時、見出し語に対応する文字情報と画像情報を格納部から読み出して文字情報に画像情報を重ねて表示部に表示する制御部からなる画像表示機能付き電子辞書。
【請求項２】
入力部は表示される文字情報の文字の大きさを設定する設定部を備え、制御部は文字情報の文字を設定された大きさで表示部に表示する請求項１記載の画像表示機能付き電子辞書。
【請求項３】
入力部は表示される文字情報の行間距離を設定する設定部を備え、制御部は文字情報を設定された行間距離で表示部に表示する請求項１記載の画像表示機能付き電子辞書。
【請求項４】
表示部が表示画面を有し、制御部は、画像情報の大きさと表示部の表示画面の大きさの比を算出し、その比に基づいて決定した画像情報を表示部に表示する請求項１記載の画像表示機能付き電子辞書。
【請求項５】
入力部はスクロール動作を入力するスクロール入力部を備え、制御部は表示された画像情報をスクロール入力部の出力に基づいてスクロールする請求項１記載の画像表示機能付き電子辞書。
【請求項６】
請求項１記載の画像表示機能付き電子辞書をコンピュータで制御するために、入力部から見出し語が入力されると、見出し語に対応する文字情報と画像情報を格納部から読み出して文字情報に画像情報を重ねて表示部に表示するプログラムを記録した記録媒体。
【発明の詳細な説明】
【０００１】
【発明の属する技術分野】
本発明は、画像情報を表示する電子辞書に関する。
【０００２】
【従来の技術】
従来の電子辞書では、ユーザが調べたい単語を入力し、内蔵されている辞書データからその単語を検索し、それに該当したひとつ、もしくはいくつかの見出し語を表示器に表示する。そして、ユーザがその中から内容を見たい見出し語を選択し決定することによって、その見出し語に対応する意味文等の文字情報が表示器に表示される。その際、その見出し語に対応する画像情報があった場合、文字情報を表示している画面をスクロールし、その文字情報内に含まれるマークにカーソルを合わせてから、画面を切り替えて画像情報を表示するようにしている。
情報携帯端末における画面表示方法としては、表示画面上に画像と文字情報とを重ね合わせて表示する方法が開示されている（例えば、特許文献１参照）。
【０００３】
【特許文献１】
特開２００２−２０８９９４号公報
【０００４】
【発明が解決しようとする課題】
しかしながら、従来の電子辞書において、指定された見出し語に対応する画像情報を表示するには、文字情報を表示している画面を切り替えて表示する方法しかないため、一画面で文字情報と画像情報を同時に確認することができない。また、画像情報を表示するには、文字情報内から画面を切り替えるためのマークを探さなければならないので、ユーザにとって不便である。また、一画面で文字情報と画像情報を同時に確認することができないため、画面を交互に切り替えなければならず、その操作が繁雑であるという問題があった。
【０００５】
この発明は、このような事情を考慮してなされたもので、画像情報を有する電子辞書において、指定された見出し語に対応する文字情報と画像情報を重ね合わせて表示することにより、一画面で文字情報と画像情報を同時に確認でき、その見出し語に対応する画像情報の有無が容易にわかり、画面を切り替えるためのマークを探すといった操作上の手間を削減することが可能な電子辞書を提供するものである。
【０００６】
【課題を解決するための手段】
この発明は、見出し語に対応する文字情報と画像情報とを格納する格納部と、入力部と、表示部と、入力部から見出し語が入力された時、見出し語に対応する文字情報と画像情報を格納部から読み出して文字情報に画像情報を重ねて表示部に表示する制御部からなる画像表示機能付き電子辞書を提供するものである
【０００７】
【発明の実施の形態】
この発明において、格納部は、例えばＲＯＭで構成でき、入力部は、キーボード，タブレット又はマウスなどで構成できる。表示部は、ＣＲＴやＬＣＤなどで構成でき、制御部はＣＰＵで構成できる。
【０００８】
この発明において、入力部は表示される文字情報の文字の大きさを設定する設定部を備え、制御部は文字情報の文字を設定された大きさで表示部に表示することが好ましい。これによれば、文字情報と画像情報を重ね合わせて表示する場合、文字の大きさを拡大することによって、文字情報の視認性を高め、読みやすさを向上させることができる。
【０００９】
この発明において、入力部は表示される文字情報の行間距離を設定する設定部を備え、制御部は文字情報を設定された行間距離で表示部に表示することが好ましい。文字情報と画像情報を重ね合わせて表示する場合、文字情報の行間を大きくすることによって、画像情報の視認性を高めることができる。
【００１０】
この発明において、表示部が表示画面を有し、制御部は、画像情報の大きさと表示部の表示画面の大きさの比を算出し、その比に基づいて決定した画像情報を表示部に表示することが好ましい。これによれば、画像情報を一画面に表示することができない場合、自動的にその画像情報を縮小し、一画面に表示することによって、画像情報の一覧性を高めることができる。
【００１１】
この発明において、入力部はスクロール動作を入力するスクロール入力部を備え、制御部は表示された画像情報をスクロール入力部の出力に基づいて自動的にスクロールすることが好ましい。これによれば、自動的に画像情報をスクロールさせることにより、文字情報を見ながら画像情報の全体像を把握することができる。
【００１２】
また、別の観点から、この発明は、上記画像表示機能付き電子辞書をコンピュータで制御するために、入力部から見出し語が入力されると、見出し語に対応する文字情報と画像情報を格納部から読み出して文字情報に画像情報を重ねて表示部に表示するプログラムを記録した記録媒体を提供するものである。
【００１３】
実施例
以下、図面に示す実施例に基づいてこの発明を詳述する。これによってこの発明が限定されるものではない。
図１は、この発明の一実施例を示すブロック図である。
図１に示すように、この電子辞書１はＣＰＵ２によって、入力、表示、データ処理、記憶等、全般的な制御を行っている。
【００１４】
まず、表示コントローラ４はＣＰＵ２から送られる表示データを制御し、表示器３に表示する。キー入力部５は、ＯＮキー６、ＯＦＦキー７、ファンクションキー８、英数字キー９等を備える。ＯＮキー６、ＯＦＦキー７は電子辞書１の電源をＯＮ／ＯＦＦする際に用いられる。ただし、ＯＮ／ＯＦＦキーが共通でキーの長押し等、ソフト的な処理により電源をＯＮ／ＯＦＦする場合もある。
【００１５】
ファンクションキー８は、見出し語を検索する辞書コンテンツの切り替えや各種設定を行うメニューキーを含む。英数字キー９は、ＡからＺまでのアルファベットと数字、および各種の記号が入力できる。
【００１６】
また、ＲＯＭ１０にはＣＰＵ２を動作させるためのプログラム、及び見出し語に対応した説明文等の文字情報と、写真や絵画等の画像情報とからなる辞書データが格納されている。ＲＡＭ１１は、ユーザが検索した見出し語等のデータを記憶したり、ＣＰＵ２のワークメモリとして使用される。電池１２は、この電子辞書１を駆動するための電源である。
【００１７】
次に、このような構成における動作について図２に示すフローチャートを用いて説明する。
ユーザが電子辞書１において、指定した見出し語に対応する文字情報と画像情報を表示するためには、まず、ファンクションキー８に含まれる検索語入力画面呼び出しキーを押下し（Ｓ１）、表示器３に検索語入力画面を表示する。
【００１８】
次に、ユーザが調べたい単語（文字列）を英数字キー９により入力することによって（Ｓ２）、ＣＰＵ２はＲＯＭ１０内にある辞書データから入力された文字列に対応する見出し語を検索する（Ｓ３）。
【００１９】
その結果、該当する見出し語がひとつ、もしくはいくつか存在した場合、表示器３にその見出し語が表示され、ファンクションキー８に含まれる上下キーを用いてカーソルを移動させて所望の見出し語を選択し、ファンクションキー８に含まれる決定キーを押下し決定する（Ｓ４）。
【００２０】
ＣＰＵ２は、決定された見出し語に対応する文字情報をＲＯＭ１０から読み出して表示器３に表示する。なお、該当する見出し語がない場合、再度検索語入力画面に戻る。また、文字情報を表示する見出し語が決定されたと同時に、その見出し語に対応する画像情報の有無をチェックする（Ｓ５）。画像情報がある場合は、該画像情報上に文字情報を重ね合わせて表示する（Ｓ６）。
【００２１】
ここでは、例として“自動車”という見出し語に対応する文字情報と画像情報を重ね合わせた表示例を図３（ａ）に示す。画像情報がない場合は、文字情報のみを表示する（Ｓ７）。ここでは、その例として“インターネット”という見出し語に対応する文字情報のみの表示例を図３（ｂ）に示す。
【００２２】
また、電子辞書１は表示する文字の大きさを選択することが可能であるため、この発明では文字情報と画像情報を重ね合わせて表示する場合、文字の大きさを拡大する機能を有している。例えば、図３（ｂ）に挙げる表示例の文字の大きさが予め設定されていた場合、文字の大きさを１サイズ拡大した表示例を図４に示す。
【００２３】
次に、この文字拡大動作について図５に示すフローチャートを用いて説明する。
まず、ＣＰＵ２は表示する見出し語に対応する画像情報の有無をチェックする（Ｓ８）。画像情報がない場合は、予め設定されている文字の大きさで文字情報を表示する（Ｓ９）。画像情報がある場合は、予め設定された文字の大きさが最大であるか否かをチェックする（Ｓ１０）。最大である場合は、最大の文字の大きさで表示する（Ｓ１１）。最大でない場合は、文字の大きさを１サイズ拡大して表示する（Ｓ１２）。
【００２４】
また、この発明の電子辞書１は、文字情報と画像情報を重ね合わせて表示する場合、自動的に文字情報の行間を大きくする機能を有している。例えば、行間を１行空けるようにするためには、図６（ａ）に示すような設定画面で、英数字キー９の『４』を押下するか、もしくは、上下キーでカーソルを移動し、ファンクションキー８に含まれる決定キーを押下する。図７に、行間を１行空けた表示例を示す。
【００２５】
次に、この動作について図８に示すフローチャートを用いて説明する。
まず、ＣＰＵ２は表示する見出し語に対応する画像情報の有無をチェックする（Ｓ１３）。画像情報がない場合は、行間を空けずに文字情報を表示する（Ｓ１４）。画像情報がある場合は、行間をどの程度空けるかの設定がされているかをチェックする（Ｓ１５）。設定されてない場合は、行間を空けないで文字情報を表示するものとする（Ｓ１７）。設定されている場合は、設定されている行数分の空白行を表示する文字情報の各行に挿入していく（Ｓ１６）。最後に、上記処理を施された文字情報を表示器３に表示する（Ｓ１８）。
【００２６】
また、画像情報はそれぞれの内容によって大きさが異なるため、一画面で表示することができない場合がある。この発明では、画像情報を自動的に縮小し一画面に表示することによって、瞬時に画像情報の概略を確認する機能を有している。例えば、図９（ａ）に示すような“電車”という見出し語に対応する一画面では表示することができない画像情報であっても、この発明を利用することにより、図９（ｂ）のように画像情報を一画面内に表示することが可能になる。
【００２７】
次に、この画像縮小動作について図１０に示すフローチャートを用いて説明する。
まず、ＣＰＵ１は表示する見出し語に対応する画像情報の大きさを調べ、該画像情報を一画面で表示することが可能かどうかをチェックする（Ｓ１９）。表示できる場合は、画像情報をそのまま表示し処理を終了する（Ｓ２０）。表示できない場合は、画像情報の縦の画素数で縦の最大表示可能画素数を割算してその商（比）を計算する（Ｓ２１）。同様にして、画像情報の横の画素数で横の最大表示可能画素数を割算してその商（比）を計算する（Ｓ２２）。
【００２８】
次に、上記過程で得られた二つの商（比）を比較し（Ｓ２３）、小さい方の商（比）で画像情報の縮小圧縮処理を行う（Ｓ２４）。ここで、画像圧縮方法に関しては、既存の画像圧縮プログラムを利用するものとする。最後に、画像圧縮処理を施された画像情報を画面の中心に表示して処理を終了する（Ｓ２５）。
【００２９】
また、この発明では画像情報を自動的に縦方向、または横方向にスクロールすることによって、画像情報の全体を表示する機能を有している。例えば、図１１に（ａ）、（ｂ）、（ｃ）の順で画像情報がスクロールしている様子を表す表示例を示す。
さらに、この発明では、画像情報を繰り返して表示することが可能である。例えば、画像情報を２回繰り返して表示するためには、図６（ｂ）に示すような設定画面で、表示回数に対応した数字キーの『２』を押下するか、もしくは、上下キーでカーソルを移動し、決定キーを押下する。
【００３０】
次に、このスクロール動作について図１２に示すフローチャートを用いて説明する。
まず、ＣＰＵ１は表示する見出し語に対応する画像情報の大きさを調べ、該画像情報が一画面で表示することが可能かどうかをチェックする（Ｓ２６）。表示できる場合は、画像情報をそのまま表示し処理を終了する（Ｓ２７）。表示できない場合は、設定表示回数が１回か２回以上であるかのチェックをする（Ｓ２８）。
【００３１】
１回表示する場合は、処理を終了する。２回以上表示する場合は、縦、または横のどちらの方向に優先してスクロールするかの設定優先度をチェックする。ここでは、横方向を優先してスクロールする場合について述べる。なお、縦方向を優先してスクロールする場合は、下述する説明内容の横を縦、縦を横に読み替えるだけでよい。また、このフローチャートでは、一度表示した画像情報には逆戻りしないこととする。
【００３２】
まず、横方向にスクロールできるかどうかをチェックする（Ｓ２９）。スクロールできる場合は、予め設定された設定スクロール量だけ横方向にスクロールする（Ｓ３０）。スクロールできない場合は、縦方向にスクロールできるかどうかをチェックする（Ｓ３１）。スクロールできる場合は、上記同様に予め設定された設定スクロール量だけ縦方向にスクロールし（Ｓ３２）、表示回数を１回減らす（Ｓ３３）。スクロールできない場合は、スクロール動作を終了する。
なお、上記設定優先度および設定スクロール量は予めファンクションキー８を操作することにより設定される。
【００３３】
【発明の効果】
この発明によれば、見出し語に対応する文字情報と画像情報を重ね合わせて表示ことにより、文字情報と画像情報を同時に、かつ容易に確認することができる。また、文字と画像が同時に表示されるため、文字から画像、画像から文字という画面の切り替えが不要になり、操作上の手間を省くことができる。
【図面の簡単な説明】
【図１】この発明の実施例の電子辞書の構成を示すブロック図である。
【図２】この発明の実施例の文字情報と画像情報を重ね合わせて表示する動作を示すフローチャートである。
【図３】この発明の実施例の電子辞書の表示例である。
【図４】この発明の実施例の電子辞書における文字を拡大した時の表示例である。
【図５】この発明の実施例の文字の大きさを拡大する動作を示すフローチャートである。
【図６】この発明の実施例の電子辞書における設定画面の表示例である。
【図７】この発明の実施例の電子辞書における行間を広げた時の表示例である。
【図８】この発明の実施例の行間を空ける動作を示すフローチャートである。
【図９】この発明の実施例の電子辞書における画像情報を縮小した時の表示例である。
【図１０】この発明の実施例の画像情報を縮小する動作を示すフローチャートである。
【図１１】この発明の実施例の電子辞書における画像情報がスクロールする時の表示例である。
【図１２】この発明の実施例の画像情報がスクロールする動作を示すフローチャートである。
【符号の説明】
１  電子辞書
２  ＣＰＵ
３  表示器
４  表示コントローラ
５  キー入力部
６  ＯＮキー
７  ＯＦＦキー
８  ファンクションキー
９  英数字キー
１０  ＲＯＭ
１１  ＲＡＭ
１２  電池
【図１】
2004151996.tif 000003
【図２】
2004151996.tif 000004
【図３】
2004151996.tif 000005
【図４】
2004151996.tif 000006
【図５】
2004151996.tif 000007
【図６】
2004151996.tif 000008
【図７】
2004151996.tif 000009
【図８】
2004151996.tif 000010
【図９】
2004151996.tif 000011
【図１０】
2004151996.tif 000012
【図１１】
2004151996.tif 000013
【図１２】
2004151996.tif 000014